(57)【要約】  本発明は、包装として使用される吸収体のバックシートの使用法に関するものである。当該バックシートは下着に使用することを意図された接着部を備えている。吸収用品は、バックシートにおける接着部がパケット内に隠されるように、パケットとなるように折りたたまれている。
2011518600.tif 000002
【特許請求の範囲】
【請求項１】
吸収用品(２)であって、
前記吸収用品(２)は、外面(５)と内面(６)とを有するバックシート(３)を具備してなり、かつ二つの長手方向延在縁部(１３)を具備してなり、
前記吸収用品(２)は、前記バックシート(３)の前記内面(６)に配置された吸収体(４)を具備してなり、
前記吸収用品(２)は、前記吸収用品(２)が非折り曲げ状態にあるときの下着における固定のために前記バックシート(３)の前記外面(５)に配置された固定手段(１５；１５ａ，１５ｂ，１５ｄ)を具備してなり、
折り曲げ状態にある前記吸収用品(２)はパケット(１)となるように折り曲げられており、このものにおいて、
前記バックシート(３)の前記外面(５)の少なくとも一部が前記パケット(１)の外面を形成するようになっており、かつ
前記固定手段(１５；１５ａ，１５ｂ，１５ｄ)が、
前記パケット(１)の内側に配置されるように、かつ、
前記長手方向延在縁部(１３)のそれぞれが、少なくとも一度は前記長手方向延在縁部(１３)自体の上に折り曲げられ、かつ前記パケット(１)の長手方向延在側部(１１ａ)の封止のために開放可能なまたは取り外し可能な第１の被封止部(１４)を形成するよう長手方向延在縁部(１３)自体に取り付けられるようになっていることを特徴とする吸収用品(２)。
【請求項２】
前記固定手段(１５；１５ａ，１５ｂ，１５ｄ)は、前記吸収用品(２)が折り曲げ状態にあるときに、前記バックシート(３)の前記外面(５)のみと接触するようになっていることを特徴とする請求項１に記載の吸収用品(２)。
【請求項３】
前記固定手段(１５；１５ａ，１５ｂ，１５ｄ)は、前記吸収用品(２)が非折り曲げ状態にあるときに、前記吸収用品(２)の前記外面(５)から離れた側に面する取り付け面(３５)を具備しており、前記取り付け面(３５)は、前記吸収用品(２)が非折り曲げ状態にある際の下着への取り付けのために設けられており、前記取り付け面(３５)は、前記吸収用品(２)が折り曲げ状態にある際には前記バックシート(３)の前記外面(５)のみと接触していることを特徴とする請求項１または請求項２に記載の吸収用品(２)。
【請求項４】
前記固定手段(１５；１５ａ，１５ｂ，１５ｄ)は少なくとも第１の固定手段(１５ａ)と第２の固定手段(１５ｂ)とを具備してなり、前記第１の固定手段(１５ａ)は前記第２の固定手段(１５ｂ)に取り付けられており、あるいは前記第１の固定手段(１５ａ)の前記取り付け面(３５)は前記バックシート(３５)の前記外面(５)に取り付けられており、かつ前記第２の固定手段(１５ｂ)は、前記バックシート(３)の前記外面(５)に取り付けられていることを特徴とする請求項１ないし請求項３のいずれか一項に記載の吸収用品(２)。
【請求項５】
前記固定手段(１５；１５ａ，１５ｂ，１５ｄ)は、折り曲げ状態にある前記パケット(１)の横方向延在側部(１１ｂ)を封止し、それによって第２の被封止部(１６)が形成されるよう構成されていることを特徴とする請求項１ないし請求項４のいずれか一項に記載の吸収用品(２)。
【請求項６】
前記第２の被封止部(１６)は前記パケット(１)の開放のために分離可能となっていることを特徴とする請求項５に記載の吸収用品(２)。
【請求項７】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部に面するように、かつ、
前記後部(１８)における前記吸収体(４)が前記中央部(１９)における前記吸収体(４)の一部に面するように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項８】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)が、前記吸収体(４)が前記吸収体(４)自体に対面するように、二重折りされているように、かつ、
前記後部(１８)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項９】
非折り曲げ状態にある前記吸収用品は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向において、前部(１７)と、後部(１８)と、それらの間の中央部(１９)とを具備してなり、
前記吸収用品(２)は、
前記後部(１８)が、前記吸収体(４)が前記吸収体(４)自体に対面するように、二重折りされているように、かつ、
前記前部(１７)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項１０】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、前記前部(１７)における前記バックシート(３)の前記外面(５)の少なくとも一部が前記固定手段(１５；１５ａ，１５ｂ，１５ｄ)を介して前記後部(１８)における前記バックシート(３)の前記外面(５)の少なくとも一部と相互連結されるように、前記前部(１７)から前記中央部(１９)の方へ向かう方向および前記後部(１８)から前記中央部(１９)の方へ向かう方向に巻かれていることを特徴とする請求項１ないし請求項６のいずれか一項に記載の吸収用品(２)。
【請求項１１】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部と対面するように、かつ
前記後部(１８)における前記吸収体(４)が前記中央部(１９)における前記吸収体(４)の一部と対面するように、かつ
前記中央部(１９)における前記バックシート(３)の前記外面(５)の少なくとも一部が、前記固定手段(１５；１５ａ，１５ｂ，１５ｄ)を介して、前記中央部(１９)の他の部分における前記バックシート(３)の前記外面(５)の少なくとも一部と相互連結されるように、
折り曲げられていることを特徴とする請求項１ないし請求項４のいずれか一項に記載の吸収用品(２)。
【請求項１２】
前記バックシート(３)は、前記パケット(１)の横方向延在側部(１１ｂ)を封止するための第３の被封止部(３０)を形成するよう互いに対して折り曲げられる二つの横方向延在縁部(３２)を具備してなり、前記パケット(１)の開放のために、前記第３の被封止部(３０)は、前記吸収用品(２)が折り曲げ状態にあるときに第２の引き裂きタブ(２６)を前記バックシート(３)から、ひいては前記パケット(１)から分離するための第２の引き裂き線(２７)を具備してなるか、あるいは前記第３の被封止部(３０)は分離可能となっていることを特徴とする請求項１１に記載の吸収用品(２)。
【請求項１３】
前記パケット(１)の開放のために、前記第１の被封止部(１４)は、前記吸収用品(２)が折り曲げ状態にあるときに第１の引き裂きタブ(９)を前記バックシート(３)から、ひいては前記パケット(１)から分離するために第１の引き裂き線(８)を具備してなるか、あるいは前記第１の被封止部(１４)は分離可能となっていることを特徴とする請求項１ないし請求項１２のいずれか一項に記載の吸収用品(２)。
【請求項１４】
前記長手方向延在縁部(１３)は、前記第１の被封止部(１４)の形成のために長手方向延在折り曲げ線(３３)にわたって折り曲げられていることを特徴とする請求項１ないし請求項１２のいずれか一項に記載の吸収用品(２)。
【請求項１５】
前記固定手段(１５；１５ａ，１５ｂ，１５ｄ)は、折り曲げられた前記長手方向延在縁部(１３)における前記バックシート(３)の前記外面(５)上に配置された第４の固定手段(１５ｄ)を具備してなることを特徴とする請求項１４に記載の吸収用品(２)。
【請求項１６】
前記バックシート(３)は、前記吸収用品(２)が非折り曲げ状態にあるときに、前記長手方向延在縁部(１３)のそれぞれに沿って延在しかつ前記吸収体(４)から離れる方向において横方向(Ｙ)に延在する固定フラップ(２５)を具備してなることを特徴とする請求項１ないし請求項１５のいずれか一項に記載の吸収用品(２)。
【請求項１７】
前記フラップ(２５)は、前記バックシート(３)に取り付けられているか、あるいは前記バックシート材料(３)の一部であることを特徴とする請求項１６に記載の吸収用品(２)。
【請求項１８】
前記フラップ(２５)は、前記第１の被封止部(１４)に備えられており、かつ前記吸収用品(２)が折り曲げ状態にある場合の前記バックシート(３)からの、ひいては前記パケット(１)からの前記第１の引き裂きタブ(９)の分離が、前記フラップ(２５)の形状を形成するよう、構成されていることを特徴とする請求項１６または請求項１７に記載の吸収用品(２)。
【発明の詳細な説明】
【技術分野】
【０００１】
本発明は請求項１のプリアンブルに記載の吸収用品のためのパケットに関するものである。
【背景技術】
【０００２】
生理用ナプキン、パンティライナおよび軽度の失禁保護ライナなどの吸収用品の技術分野においては、吸収用品を使用者が個別に保管しかつ持ち運ぶことを容易にする小さなパケットとなるように折りたたむことが知られている。
【０００３】
特許文献１には吸収用品に関するパケットが開示されている。このパケットは折り曲げられた吸収用品を封入する包装材料を備えている。パケットは包装材料から引き裂きタブを取り去ることで開放される。引き裂きタブが取り除かれた後、包装材料の取り外しおよび除去によって吸収用品が現れるようになる。
【０００４】
こうした従来技術に基づくパケットには、包装材料を取り除かなければならないという問題がある。この問題の一部には、使用者がその包装材料を保管するかあるいは適切なゴミ箱を見つける必要があるということが含まれる。この問題の他の部分には、包装材料が適切に処理された場合でもコストを高めかつ環境に良くない影響を及ぼすというごみ処理の問題が加わる。
【先行技術文献】
【特許文献】
【０００５】
【特許文献１】国際公開第99/52483号パンフレット
【発明の概要】
【発明が解決しようとする課題】
【０００６】
したがって吸収用品のパケットに関して廃棄物を少なくすることが必要とされている。
【課題を解決するための手段】
【０００７】
本発明は特許請求の範囲に記載された吸収用品のためのパケットを導出することによって上記問題を解決することを意図したものである。
【０００８】
本発明はバックシートおよび吸収体を備える吸収用品に関するものである。バックシートは、外面および内面を有しており、かつ二つの長手方向延在縁部を備える。本明細書において「長手方向延在縁部」とは、非折り曲げ状態(つまり引き伸ばされた伸長状態)の吸収用品に関連して使用される。吸収用品がパケットとなるように折り曲げられた際には、「長手方向延在」との記載は、折り曲げられた吸収用品における長手方向延在縁部の主要な方向に一致する方向に関連して使用される。
【０００９】
吸収用品は、吸収用品が非折り曲げ状態にあるときに下着へ固定するためにバックシートの外面に配置された固定手段を備えている。
【００１０】
吸収体がバックシートの内面に配置されており、かつ吸収用品は、吸収体をバックシートで保護するためにパケットとなるよう折り曲げられる。吸収用品は折り曲げ状態においてパケットとなるように折り曲げられ、この場合、少なくともバックシートの外面の一部がパケットの外面をもたらしかつ固定手段がパケットの内面に配置されるようになり、かつ長手方向延在縁部のそれぞれが、長手方向延在縁部自体がパケットの長手方向延在側部の密閉のために開放可能なあるいは除去可能な第１のシール部を形成するように、少なくとも一度は長手方向延在縁部自体の上に折り曲げられかつ長手方向延在縁部自体に取り付けられるようになっている。ここで「パケットの長手方向延在側部」は、バックシートの長手方向延在縁部の少なくとも一部を意味しているが、バックシートの長手方向延在縁部全体を意味していてもよい。
【００１１】
本発明の利点の一つとして、従来使用されていたバックシートとは別体となっていた包装がバックシートと一体的な包装に置き換えられるため、廃棄物の量が最小化されることが挙げられる。
【００１２】
固定手段は、吸収用品が非折り曲げ状態にあるときに吸収用品の外面から離れた側に取り付け面を備えている。取り付け面は、吸収用品が非折り曲げ状態にある際の下着への取り付けのために設けられている。本発明によれば、吸収用品は、吸収用品が折り曲げ状態にあるとき(すなわちパケットが形成されたとき)に取り付け面がバックシートの外面のみと接触するように折り曲げられる。
【００１３】
本発明の利点の一つとして、固定手段を下着への固定のためにかつパケットの封止および形成のために封止手段および取り付け手段として使用可能なことが挙げられる。
【００１４】
本発明の一実施形態において、第１の被封止部は第１の被封止部の封止のための第１の封止手段を備えている。第１の被封止部は、吸収用品がその折り曲げ状態にあるときにパケットを開くために、第１の封止手段を備える第１の引き裂きタブをパケットから分離するための第１の引き裂きラインを備えている。他の実施形態において第１の被封止部は、例えば固定手段の形態の開放可能な第１の封止手段を備えており、当該複数の第１の被封止部は、なんらかの第１の引き裂きタブを除去することなくパケットを開放するために分離されている。
【００１５】
本発明の一実施形態においては、長手方向延在縁部は第１の被封止部を形成するために長手方向延在折り曲げ線にわたって折り曲げられる。続いて固定手段は、折り曲げられた長手方向延在縁部において、バックシートの外面に配置されるようになる、
【００１６】
本発明によれば、固定手段は、吸収用品が折り曲げ状態にあるときに固定手段がバックシートの外面に接触するように、パケットの内側に位置させられる。
【００１７】
固定手段は、折り曲げ状態においてパケットの側方延在側部を封止し、それによって開放可能な第２の被封止部が形成されるよう構成されてもよい。
【００１８】
バックシートは二つの側方延在縁部を備えていてもよく、二つの側方延在縁部は、パケットの側方延在側部を封止するための第３の被封止部を形成するよう互いにわたって折り曲げられている。第３の被封止部は、吸収用品が折り曲げ状態にあるときに第２の引き裂きタブをバックシートからかつパケットから分離するための第２に引き裂き線を備えていてもよい。ただし複数の第３の被封止部は、第２の引き裂きタブの除去に代えてパケットの開放のために分離されていてもよい。
【００１９】
バックシートは、吸収用品が非折り曲げ状態にあるとき、長手方向延在縁部のそれぞれに沿って延在し、かつ吸収体から離れる方向における側方において延在する固定フラップを備えていてもよい。
【００２０】
吸収用品は、有利なことに、廃棄物としての環境問題を引き起こさない生分解性材料もしくは再生可能資源材料あるいは生成可能または生分解性材料による由来物を有する生成物を備えていてもよい。そうした生成物の一例として：グルテン、大豆またはゼラチンなどの生成物由来のたんぱく質；ポリカプロラクトン(ＰＣＬ)、ポリヒドロキシアルカン酸(ＰＨＡ)、ポリ乳酸(ＰＬＡ)、およびポリヒドロキシブチレート(ＰＨＢ)などの生分解性ポリマー；竹、セルロース、ウッドパルプ、およびコットンなどのスターチ由来の生成物；ならびに再生可能資源材料に由来するポリエチレン(ＰＥ)およびポリプロピレン(ＰＰ)などのポリオレフィン：が挙げられる。それゆえ吸収用品は部分的にまたは全体的に生分解可能な再生可能資源材料から構成されてもよい。
【００２１】
以下、複数の図面に関連させながら本発明について説明する。
【図面の簡単な説明】
【００２２】
【図１】本発明に基づく吸収用品のパケットの概略図である。
【図２】本発明の第一実施形態に基づく、図１における線Ａ−Ａに沿った概略断面図である。
【図３】非折り曲げ状態にある図２におけるパケットの第１の例の概略図である。
【図４】非折り曲げ状態にある図２におけるパケットの第２の例の概略図である。
【図５】非折り曲げ状態にある図２におけるパケットの第３の例の概略図である。
【図６】フラップが折り曲げ状態にある、線VI−VIに沿った図５の概略側面図である。
【図７】非折り曲げ状態にある、図におけるパケットの一例の概略図である。
【図８】フラップが折り曲げ状態にある、線VII−VIIに沿った図７の概略側面図である。
【図９】伸長状態にある、図２におけるパケットの第４の例の概略図である。
【図１０】一実施形態に基づくフラップが折り曲げ状態にある線Ｘ−Ｘに沿った図９の概略側面図である。
【図１１】他の実施形態に基づくフラップが折り曲げ状態にある線Ｘ−Ｘに沿った図９の概略側面図である。
【図１２】本発明の第二実施形態に基づく図１における線Ａ−Ａに沿った概略断面図である。
【図１３】本発明の第三実施形態に基づく吸収用品のパケットの概略図である。
【図１４】本発明の第四実施形態に基づく図１３における線Ｂ−Ｂに沿った概略断面図である。
【図１５】非折り曲げ状態にある、図１４におけるパケットの第１の例の概略図である。
【図１６】本発明に基づく吸収用品のためのパケットの概略図である。
【図１７】本発明に基づくパケット１の概略正面図である。
【図１８】本発明に基づくパケット１の概略正面図である。
【図１９】本発明に基づくパケットの概略正面図である。
【図２０】本発明に基づくパケットの概略正面図である。
【図２１】本発明に基づくパケットの概略正面図である。
【図２２】本発明の第五実施形態に基づく吸収用品の概略平面図である。
【図２３】第五実施形態の第１の例に基づく、図２２におけるXXIII線に沿った概略断面図である。
【図２４】第五実施形態の第２の例に基づく、図２２におけるXXIII線に沿った概略断面図である。
【図２５】パケット１となるように折り曲げられた、図２２〜２４のいずれか一つに基づく吸収用品を示す図である。
【図２６】本発明の第六実施形態に基づく吸収用品の概略側面図である。
【図２７】本発明の第七実施形態に基づく吸収用品の概略側面図である。
【図２８】本発明の第八実施形態に基づく吸収用品の概略側面図である。
【発明を実施するための形態】
【００２３】
図１には、本発明に基づく吸収用品のためのパケット１を概略的に示す。このパケットは、バックシート３と吸収体４とを有する吸収用品２を備える。バックシート３は外面５および内面６を有し、バックシート３の内面６は吸収体４に直接的に取り付けられており、かつ通常は、吸収用品２を破損することなく吸収体４からバックシート３を分離させることはできないようになっている。本発明について簡単に説明するために、吸収用品２がバックシート３および吸収体４のみによって構成されるとして図１〜１６に関連させて説明するが、吸収体４は異なる材料、例えば疎水性または親水性トップシート、液体拡散層、超吸収体、およびさまざまな吸収能力を有する吸収材料からなる複数の層を備えていてもよい。さらにバックシート３は、異なる層を備えていてもあるいはさまざまな領域において異なる特性を有していてもよいが、バックシート３は液体不透過性であることを特徴とするものである。
【００２４】
吸収用品２は、バックシート３の少なくとも一部がパケット１の外面を構成するように折り曲げられる。吸収用品２はさまざまな数の構成体へと折り曲げられてもよいが、バックシート３がパケット１のための包装７を構成することはすべての実施形態に共通している。どのように吸収用品２を折り曲げるかに応じて、バックシート３全体が包装７を構成してもよく、あるいはバックシートの一部のみが包装７を構成してもよい。
【００２５】
図１に示すパケット１は、パケット１のバックシート３の第１の引き裂きタブ９の形態の二つのセクションに分割するために使用されることを意図した二つの第１の引き裂き線８を備える。第１の引き裂きタブ９は第１の封止手段１０を備えており、これは、第１の引き裂きタブ９に存在するバックシート３のそれらの部分を互いに結合するためのものである。第１の引き裂きタブ９の分離によって第１の封止手段１０が取り除かれ、パケット１の包装を解くこと、すなわち吸収用品２を伸長状態にすることが可能となる。図１において、第１の引き裂き線８は直線であるが、これは屈曲形状を有していてもよい。第１の引き裂きタブ９は、パケットの長手方向Ｘ延在側部１１ａに沿って配置されている。本明細書において「長手方向延在側部」は、パケット１の長手方向延在側縁部１２ａを含むパケットの側部を意味しており、このものにおいて、側縁部１２ａは側方においてパケット１の境界を定めている。バックシート３は長手方向延在縁部１３を備えており、長手方向延在縁部１３は、第１の引き裂き線８によって境界が定められ、かつ吸収用品がパケット１となるように折り曲げられたときに第１の引き裂きタブ９を形成するよう構成されている。第１の封止手段１０は、第１の引き裂きタブ９によって除去されることを意図された長手方向に延在する第１の被封止部１４に設けられている。
【００２６】
第１の引き裂き線８は、バックシート３における複数穿孔の形態のものであってもよいが、脆弱部の形態で構成されてもよい。また第１の引き裂き線８は、バックシートに組み込まれた引き裂き糸の導入によってバックシート３に設けられてもよく、引き裂き糸は、引き裂き糸がバックシート３から離れるよう引っ張られるときにバックシート３における材料を分離するか、または破壊するためのものである。
【００２７】
第１の封止手段１０は、のりなどの接着剤または他の適切な接着剤を備えていてもよい。第１の封止手段１０は、例えば超音波溶着、レーザー溶着または熱溶着などのなんらかのタイプの溶着によって形成された継目の形態のものであってもよい。継目は、例えばエンボス加工などの機械加工、またはシームを形成するバックシート３の第１の引き裂きタブ９に圧力を付与するような他のタイプの機械加工によって形成されてもよい。
【００２８】
図１において、吸収用品２は、第２の被封止部１６が形成されるようにパケット１の側方Ｙ延在側部１１ｂを封止するために、バックシートの外面に配置された固定手段１５を備えている。
【００２９】
図２には本発明の第一実施形態に基づく図１における線Ａ−Ａに沿った断面図を概略的に示す。吸収用品２は、長手方向Ｘにおける広がりと、長手方向Ｘに実質的に直交する側方向Ｙにおける広がりとを有する。吸収用品２は、長手方向Ｘにおいて前部１７と後部１８とそれらの間の中央部１９とを備えている。これら部分へと区分することは本発明の説明の補助とするためだけのものであり、かつこれら部分は変更されてもよい。
【００３０】
図２には、第１の折り曲げ線２０にわたってかつ中央部１９の反部に状にわたって折り曲げられた前部１７と、第２の折り曲げ線２１にわたってかつ中央部１９の他の半分以上にわたって折り曲げられた後部とを示す。ゆえに、この実施形態において、前部１７および後部１８は、それぞれ、長手方向Ｘにおいて吸収用品２の１／４を構成しており、かつ中央部１９は、長手方向Ｘにおいて吸収用品２の２／４を構成している。吸収用品２は、中央部１９の中央に配置された第３の折り曲げ線２２にわたって折り曲げられており、それによって前部１７および後部１８が互いに面するようになる。したがって吸収用品２は、後部１８におけるバックシート３が前部１７におけるバックシート３と対面するように折り曲げられる。これは、前部１７における吸収体４が中央部１９における吸収体４に対して面するかまたは接するようになり、かつ後部１８における吸収体４が中央部１９の他の部分における吸収体４に対して面するかまたは接するようになることを意味している。
【００３１】
図２には、包装７を構成するバックシート３の一部のみを示す。この実施形態において、中央部１９のバックシート３が包装７を構成している。図１に関連して、図２に示す実施形態においてパケット１の封止のための使用される第１の引き裂きタブ９は、適切にパケット１を封止するために少なくとも中央部１９からバックシート材料３を具備してなければならないが、前部１７および／または後部１８からバックシート材料３を具備していてもよい。
【００３２】
図２には、吸収体に対してバックシート３の対向面に配置された固定手段１５を示す。図１において、その固定手段は第１の固定手段１５ａと第２の固定手段１５ｂとを備えている。吸収用品２が上述したようにパケット１となるように折り曲げられた際にパケット１を封止するため、第１の固定手段１５ａは前部７に配置されており、かつ第２の固定手段１５ｂは後部１８に配置されている。第１の固定手段１５ａは第１の折り曲げ線２０に隣接して配置されていてもよく、かつ第２の固定手段１５ｂは、第２の被封止部１６におけるパケット１の封止のための横方向における広がりを伴って、第２の折り曲げ線２１に隣接して配置されていてもよい。ただし、本発明は第１および第２の固定手段１５ｂに限定されず、固定手段１５は、第１の固定手段１５ａまたは第２の固定手段１５ｂあるいは付加的な固定手段のいずれかのみを備えていてもよい。図２には、少なくとも二つの使用される固定手段を示すが、一方のみ(図２においては第１の固定手段１５ａ)が折り曲げ線(図２においては第１の折り曲げ線２０)に隣接して横方向に配置されている。第１の固定手段１５ａとは異なるポジションでパケット１の封止し、それによってパケットの外側からの吸収体４の汚損に対する二重の安全性を付与するために、第２の固定手段１５ｂは第２の折り曲げ線２１から、さらに離れた距離をおいて配置されている。
【００３３】
したがって、第２の被封止部１６におけるパケット１の適切な封止をもたらし、それによって排泄物、水または他の物質がパケット内に浸入することを防止できるようにするために、少なくとも一つの固定手段１５は、有利なことに、吸収用品２の一長手方向延在側部から吸収用品２の他の側部にかけての横方向の広がりを有している。パケット１をさらに封止するために、またパケット１の外形的な形成を補助するために、付加的な固定手段１５が第１／第２の折り曲げ線２１と第３の折り曲げ線２２との間に配置されてもよい。
【００３４】
パケットの第２の被封止部１６は、パケット１の横方向延在側部１１ｂと一致してもよく、もしくは横方向延在側部１１ｂ内に部分的に設けられるか、あるいは横方向延在側部１１ｂから距離をおいて配置されていてもよい。本明細書において「横方向延在側部」は、パケット１の横方向延在側縁部１２ｂを含むパケットの一部を意味しており、当該横方向延在側縁部１２ｂは長手方向においてパケット１の境界を定めている。
【００３５】
固定手段１５は、外力が付与されるとき二つの部分へ分離される種類のものであってもよい。ここで「分離」とは、固定手段１５がバックシートではなく固定手段自体に固着されている場合に関連して使用される。これは、パケット１が開放され、かつ前部１７におけるバックシート３および後部１８におけるバックシート３のそれぞれを介して固定手段に力が付与された場合において、内力(すなわち、これら固定手段１５における結合力)がバックシート３に対する接着力よりも小さいことを意味している。そうした分離可能な固定手段１５を使用する利点として、パケットの開放時に、各固定手段１５が、開放された部分の両側に一つずつ配置されるように、二つの固定手段１５へと分割されることである。この新しく形成された二つの固定手段は、吸収用品２の使用時に下着への取り付けのために使用できる。
【００３６】
固定手段１５は、パケットの開放時に固定手段１５が例えば前部１７におけるバックシートの一面から剥離されるようになり一方で例えば後部１８におけるバックシートの他の面に固着されるよう構成されるように、異なる接着力を伴う二つの取り付け面を有するよう構成されていてもよい。さらに固定手段は、接着剤の形態のものにおいて、異なる領域において異なる結合特性を有し、かつ異なる接着特性を有していてもよい。
【００３７】
固定手段１５は、バックシート３の前部１７および／またはバックシート３の後部１８に取り付けられていてもよく、それによって、固定手段１５はパケット１の形成時に対向する部分のバックシート３に接着される。
【００３８】
他の可能性として、バックシート３の前部における固定手段１５の一部と、バックシートの後部１８における対向部分とを取り付けることが挙げられる。固定手段１５の二つの部分は、パケット１が封止を形成するために形成されるときに一緒にもたらされる。固定手段１５に関する上記実施形態において、固定手段１５は例えば面ファスナータイプ(フック・ループタイプ)の機械的固定手段１５であっても、あるいは、のりなどの接着剤であってもよい。
【００３９】
さらに、中央部にかつ／または前部または後部において、こぶ、あるいは隆起部(図示せず)が配置されてもよい。第３の折り曲げ線および吸収用品の折り曲げは、使用者の性器領域に対する使用のためのこぶを形状づけるのに役立つものであってもよい。
【００４０】
図３には、伸長された状態の図２におけるパケット１の第１の例を概略的に示す。図３には、第１の引き裂きタブ９の形成のために中央部においてのみ長手方向延在縁部１３における追加のバックシート材料を備えるバックシート３を示す。図３には、第１の引き裂き線８に沿って吸収用品２から分離された第１の引き裂きタブ９、ならびに伸張された吸収用品２を示す。第１の引き裂きタブ９は前部１７および／または後部１８におけるバックシート材料３を備えていてもよいが、吸収用品２が図２に関連して説明した様式で折りたたまれる際には、第１の引き裂きタブ９は中央部１９に少なくとも配置されていなければならないことに留意されたい。
【００４１】
図３には、バックシート３の境界を定める長手方向延在縁部２３および横方向延在縁部２４が示されている。長手方向延在縁部２３の少なくとも一部は、第１の引き裂きタブ９をパケット１から剥離させる際に形成される。ゆえに、第１の引き裂き線８は、パケット１が封止される際には(すなわち第１の引き裂きタブ９が剥離されていないときには)長手方向延在縁部２３と一致している。したがって、第１の引き裂き線８のポジションは、第１の引き裂きタブ９が剥離される際に吸収用品の輪郭を形成する。長手方向延在縁部２３は、後部１８における横方向延在縁部２４から前部１７における横方向延在縁部２４まで、吸収用品のいずれ側部において延在している。長手方向延在縁部２３は図３において実質的に直線となっているが、曲がっていても波状であってもよい。横方向延在縁部２４は、半円形状となるようにカーブしているが、例えば直線または波状などの他の形状となるよう形成されてもよい。
【００４２】
図３には、第１の引き裂きタブ９が剥離されたときにバックシート３とは異なる形状を有する吸収体４が示されている。ただし吸収体４は側方および長手方向延在縁部２３と同一の外形を有していてもよい、すなわち、バックシート３と同一の形状を有していてもよい。図３において、吸収体４は砂時計形状を有しているが、例えば四角形、矩形、楕円、円、三角形または五角形などの適切な形状を有していてもよい。
【００４３】
図３には、下着への取り付けのためにバックシート３上に配置された、４つの固定手段１５となるよう分割された図２における第１および第２の固定手段１５ａおよび１５ｂを示す。図３において、固定手段１５は、直線的であり、かつ一方の長手方向延在縁部２３から他方の長手方向延在縁部２３へ横方向に延在している。ただし、第１および第２の折り曲げ線２０，２１に近接した固定手段１５は、後部１８および前部１７に配置された固定手段１とは異なる広がりを有していてもよい。それは、第１および第２の折り曲げ線２０，２１に近接した固定手段１５が長手方向延在縁部２３同士の間(つまり第１の封止手段１０同士の間)にある広がりを有している場合に利点となる。なぜなら固定手段１５は、図２に基づいて吸収用品２が折り曲げられるときに第１の封止手段１０とともにパケット１を封止するからである。さらに固定手段１５は、パケットが封止されるようになる限りにおいては直線状、曲線状、ドット状、破線状などであってもよい。
【００４４】
図４には、図２におけるパケット１の第２の例を伸張した状態で概略的に示す。図４は、長手方向延在縁部２３(ここでは第１の引き裂き線８でもある)が屈曲しており、それによって、バックシート３と吸収体４とが同一の外形を有している点においてのみ図２と異なっている。図４においてその外形は砂時計の形態となっているが、他の形状も図３に関連して説明したように可能である。
【００４５】
図５には、伸長状態の図２におけるパケット１の第３の例を概略的に示す。図５は、長手方向延在縁部２３(ここでは第１の引き裂き線８にも関連する)が屈曲しており、それによって中央部１９におけるバックシート３の一部が、吸収体４から離れる方向における横方向においていわゆるウィングまたはフラップ２５と呼ばれるある広がりを有するようなっている点において図３とは異なっている。本明細書において「フラップ」とは下着に対する取り付けのための手段として規定されたものである。好ましくはフラップ２５は、下着の外面に対する取り付けのために、下着の鼠径部における側縁部の周囲で折りたたまれるよう構成されている。吸収用品２は下着の内面に位置させられるように構成されており、かつ固定手段１は下着の内面に取り付けられるように構成されている。図５において、バックシート３は吸収体４とは異なる輪郭を有しているが、吸収体４は同じ形状を有していてもよい。図５において、吸収体４の輪郭は砂時計形状となっているが、図３に関連して説明したような他の形状のものであってもよい。フラップ２５は、第１の引き裂きタブ９がパケット１から取り除かれた後に、すなわち使用者が第１の引き裂きタブ９を掴みそして第１の引き裂きタブ９をパケット１の残りの部分(つまり吸収用品２)から分離させたときに、第１の引き裂き線８に沿ってバックシート材料３を裂くことによって形成される。
【００４６】
図５には第３の固定手段１５ｃを備えるフラップ２５を示すが、第３の固定手段１５ｃは、フラップが下着の側縁部の周囲に折りたたまれた際に衣類の外面に取り付けられるように構成されている。第３の固定手段１５ｃはなんらかの適切な形状を有している。
【００４７】
図６には、フラップ２５が折りたたまれた状態の、線VI−VIに沿った図５の側面を概略的に示す。図６には、フラップ２５が吸収体４上で折り曲げ状態となっている、後部１８から見た吸収用品２を示す。図６において、各フラップ２５は、二重に折りたたまれて、すなわちフラップ２５自体の上に折り曲げられており、それによって第３の固定手段１５ｃは、二重に折りたたまれることによって形成されたプリーツ(ひだ)に隠される。二重に折りたたまれたフラップ２５の利点の一つとして、吸収用品２が折り曲げられそしてパケット１となるように形成されたときに、第３の固定手段１５ｃが吸収用品２の他の部分に付着しないですむということが挙げられる。さらにフラップ２５の形成およびパケット１の封止のために、第１の引き裂きタブ９が中央部１９の大部分に配置されるので、フラップを二重に折りたたむことによって、第１の引き裂きタブ９が横方向に広がることが可能となり、それによって、パケット１が図１に基づくように第１の固定手段１０によって封止できるようになる。
【００４８】
図６に示す実施形態の代替例の一つとして、フラップ２５を伸長状態で保ち、かつ第３の固定手段１５ｃのための除去可能なカバーストリップを取り付けることが挙げられる。カバーストリップは、この実施形態では第３の固定手段１５ｃが隠されないようになるので必要となり、また第１の引き裂きタブ９とともにパケット１の外面に配置されるようになる。
【００４９】
図７には、伸長された状態の、図１におけるパケット１の一例を概略的に示す。図７は、第２の引き裂きタブ２６が吸収用品２の前部１７に配置されている点においてのみ、図５とは異なっている。ゆえに、フラップ２５は第１の引き裂きタブ９が除去されたときに形成されず、フラップ２５はバックシート材料３にあらかじめ形成されている。ただし前部１７は、第２の引き裂きタブ２６がパケットから取り除かれたときに、つまり使用者が第２の引き裂きタブを掴みそしてパケット１の残りの部分(つまり吸収用品２)から第２の引き裂きタブを引っ張ったときに、第２の引き裂き線２７に沿ってバックシート材料３を裂くことによって形成される。
【００５０】
図７には、第２の引き裂きタブ２６が本質的に三角形状で形成されていること、および第２の引き裂き線２７同士が第２の引き裂きタブ２６同士の間の移行領域で出会うこと、ならびに第２の引き裂きタブ２６がこれら第２の引き裂き線２７が出会うところで終端をなしていることが示される。こうした構成は、パケット１が開放されるときに取り除かれる二つの第２の引き裂きタブ２６を提供する。ただし、第２の引き裂きタブ２６は、第２の引き裂きタブ２６を取り除くことによって得られる横方向延在縁部２４の輪郭に倣った第２の引き裂き線２７と一体となるように構成されてもよい。そして第２の引き裂きタブ２６は、バックシート材料３が図７に示される二つの三角形状部２９に加えて本質的な矩形状部２８(破線で示される)を有するように、長手方向にある広がりを有している。この矩形状部２８は、パケット１の第３の被封止部３０のための封止手段として使用することもでき、かつ折り曲げられる部分にわたって折り曲げられてもよい。第２の引き裂きタブ２６は、なんらかの適切な形状を有していてもよく、二つの三角形状部および矩形状部に限定されない。それは、前部１７の形状および第２の引き裂きタブ２６がどのように使用されるかに左右される。したがって、第２の引き裂きタブ２６は、一つ以上の矩形状片、一つ以上の三角形状片、あるいは一つ以上の他の適切な形状を有する片とすることができる。さらに第２の引き裂きタブ２６は、前部の代わりに後部に配置されていてもよい。
【００５１】
さらに図７における吸収用品から形成されたパケットを封止するために、この吸収用品は、図２に関連して説明した様式と同じ様式では折り曲げられず、図１２，１３，１４および２２を参照して行われる。吸収用品２は、吸収用品２の一端(すなわち第２の引き裂きタブ２６を備える吸収用品の端部)から折り曲げられるか、あるいは巻き取られる必要がある。図７において、後部１８は中央部１９にわたって折り曲げられるか、あるいは巻き取られ、次いで前部１７にわたって折り曲げられるか、あるいは巻き取られるべきである。続いて第２の引き裂きタブ２６の、横方向に延在する部分はパケット１の封止のために使用でき、そして付加的な引き裂き線を適当に設けてもよい。
【００５２】
図８には、折り曲げられたフラップ２５を備える、線VII−VIIに沿った図７の側面を概略的に示す。図６には、吸収用品上に折りたたまれたフラップ２５を備える前部から見た吸収用品２を示す。第１の引き裂きタブ９が中央部１９の大部分に配置されているので、かつフラップ２５を形成しかつパケット１を封止するため、フラップ２５の折り曲げは、第１の引き裂きタブ９が横方向に延在することをさらに可能にし、それによって、パケット１は図１に基づく第１の被封止部１４における第１の封止手段１４によって封止可能となる。
【００５３】
図８において、フラップ２５は、吸収体４上に折り曲げられており、かつ第３の固定手段１５ｃが吸収体から離れた側に面するようになる。吸収用品を図１２に基づいて折りたたむかまたは巻き取るとき、折り曲げられ／巻き取られる部分のバックシートが第３の固定手段に対してカバーとして配置されるようになるため、カバーストリップは必要ではなくなる。
【００５４】
図９には、伸長された状態の、図２におけるパケット１の第４の例を概略的に示す。図９は、図５に関連して説明したすべての特徴部を備えているが、フラップ２５がバックシート３の一部とはなっていない。フラップ２５は、吸収用品２にあらかじめ取り付けられた別個の材料片である。その取り付けは、溶着、機械加工、接着剤の使用、または取り付けに適した他の手段によってなされる。フラップ２５は、バックシート３または吸収体４に取り付けられていてもよい。
【００５５】
図９において、フラップ２５は吸収体４上に折りたたまれ、かつ第３の固定手段１５ｃは、図９に見られるように折り曲げられた際にフラップ２５の吸収体から離れる側において、フラップ２５上に配置されている。
【００５６】
図９は、吸収用品の中央部１９に配置された第１の引き裂きタブ９、ならびに横方向および長手方区尾に延在する第１の引き裂きタブ９を示す。第１の引き裂き線８は吸収用品２の輪郭(すなわち長手方向延在縁部２３の輪郭)に従う。第１の引き裂き線８はフラップ２５の輪郭に従うものではない。
【００５７】
図１０には、一実施形態に基づく折り曲げられたフラップ２５を備える、線Ｘ−Ｘに沿った図９の側面を概略的に示す。図１０には、フラップが吸収体４上に折り曲げ状態の、後部１８から見た吸収用品２を示す。図６に関連して、図１０には二重に折りたたまれた(すなわちフラップ自体の上に折り曲げられた)各フラップ２５が示されており、それによって、第３の固定手段１５ｃは二重折りによって形成されたプリーツによって隠されている。フラップを二重に折りたたむ利点の一つとして、第３の固定手段１５ｃが、吸収用品２が折り曲げられそしてパケットを形成する際に、吸収用品２の他の部分に付着しないようになることが挙げられる。フラップ２５は把持手段３１ａを備えていてもよく、使用者がフラップ２５を掴むことができかつ使用前にフラップ２５が伸張されているように、把持手段３１ａには第３の固定手段１５ｃが存在しない。フラップ２５が伸張されると、第３の固定手段１５ｃは露出され、そして下着の外面にフラップ２５を固定するために使用できる。
【００５８】
図１１には、図１０とは異なる他の実施形態による折り曲げられたフラップ２５を備える、線Ｘ−Ｘに沿った図９の側面を概略的に示す。図１１には、吸収体４上に折り曲げられているフラップ２５を示すが、これらフラップ２５はフラップ自体の上には折りたたまれていない。このポジションにおいて、第３の固定手段１５ｃは、吸収用品２とは離れた側に面し、かつ吸収用品２が図２に示されるように折り曲げられる場合には取り除き可能なカバーストリップ(図示せず)でカバーされる必要があるが、吸収用品が図１２，１３，１４および２２に基づくように折り曲げられるかまたは巻かれる場合にはバックシート３によってカバーされてもよい。
【００５９】
図１２には、本発明の第二実施形態に基づく図１における線Ａ−Ａに沿った断面を概略的に示す。図１２には、吸収用品の一端(つまり吸収用品の、第１または第２の引き裂きタブ２６を備えていない端部)が折り曲げられるかまたは巻かれた吸収用品２を示す。図１２には、半分閉じられた、すなわち最後の部分が折り曲げられていないパケットを示す。図１２において、後部１８は後部１８自体の上に折り曲げられており、かつ前部１７は中央部１９上に巻かれ、そして対応する二重に折りたたまれた後部１８上に折りたたまれるかあるいは巻かれるようになる。本発明はこの実施形態に限定されるものではなく、前部１７が前部１７自体の上に折り曲げられてもよく、かつ後部１８が中央部１９上に巻かれてもよく、そして対応する二重に折りたたまれた前部１７上に折りたたまれるかあるいは巻かれてもよい。
【００６０】
第２の引き裂きタブは、中央部の方へ折り曲げられるかまたは巻き取られる吸収用品２の位置に応じて、前部または後部に配置することができる。前部が折り曲げられるかまたは巻かれる場合、後部が引き裂きタブを備える。ただし第１の引き裂きタブ９は長手方向延在縁部全体に沿って配置されてもよく、かつ横方向延在縁部の少なくとも一部に沿って延在していてもよい。第１および／または第２の引き裂きタブ９，２６の、横方向に延在する部分は、パケットを封止するために使用でき、かつ第１および／または第２の引き裂き線８，２７は適切に付与できる。
【００６１】
図１２には、巻かれていない吸収用品２の端部が一度それ自体の上に折り曲げられ、それによって、一度折り曲げられた部分のバックシートの外面５が、吸収用品２の、折り曲げられるかまたは巻かれた部分のバックシートの外面に面するようになっている状態を示す。
【００６２】
図１２において吸収用品２は、吸収体４がそれ自体に対して対向しかつ前部が中央部１９の方へ巻かれるように後部が二重折りされるように、かつ前部１７におけるバックシート３の外面の少なくとも一部が固定手段１５を介して後部１８におけるバックシートの外面の少なくとも一部に対して相互接続されるように、折り曲げられる。
【００６３】
図１３には、本発明の第三実施形態に基づく吸収用品のためのパケット１を概略的に示す。図１３において、吸収用品２は、前部１７のバックシートの外面５の少なくとも一部が固定手段１５を介して後部１８におけるバックシート３の外面５の少なくとも一部に対して相互接続されるように、前部１７から中央部１９の方へ向かってかつ後部１８から中央部１９の方へ向かって巻かれている。
【００６４】
第１の引き裂き線８と第１の引き裂きタブ９は、図１〜１２のいずれか一つに関連して説明した様式と同じ様式で、つまりパケット１長手方向延在側縁部１２ａに沿ってバックシート３に設けられている。第１の引き裂きタブ９は、長手方向延在側部１１ａの封止のために第１の引き裂きタブ９がパケット１の長手方向延在側部１１ａ上に折り曲げ可能な封止部を備えるように、横方向に延在していてもよい。また第１の引き裂きタブ９は把持手段を備えていてもよく、この把持手段は、把持手段を引っ張るために掴むことができる使用者によるパケットの開放を容易にするためのものである。図１９および２１には、長手方向延在側部１１ａの上述した封止状態を示す。
【００６５】
図１４には、本発明の第四実施形態に基づくパケット１の断面を概略的に示す。吸収用品２は、その非折り曲げ状態において、長手方向と、長手方向に直交する横方向と、長手方向と横方向とによって規定される平面に直交する厚さ方向とを有する。吸収用品２は、その長手方向において、前部１７と、後部１８と、これらの間の中央部１９とを有する。吸収用品２は、前部１７における吸収体４が中央部１９における吸収体４に面するようにかつ後部１８における吸収体４が中央部１９における吸収体４に面するように、かつ中央部１９におけるバックシートの外面５の少なくとも一部が固定手段１５を介して中央部１９における他の部分のバックシートの外面５の少なくとも一部と相互連結するように、折り曲げられている。このように、吸収用品２は、バックシート３が固定手段１５と接触可能なようにする方法のみで、固定手段１５をパケット内に隠せるようにジグザクパターンで折り曲げられている。
【００６６】
図１４には、二つの横方向延在縁部３２の形態の第２の引き裂きタブ２６を備えるバックシート３を示すが、二つの横方向延在縁部３２は、パケット１の横方向延在側部１１ｂの封止のために第３の被封止部３０を形成するよう互いに対して折り曲げられている。第３の被封止部３０は、吸収用品２がその折り曲げ状態にあるときバックシート３から、ひいてはパケット１から第２の引き裂きタブ２６を分離するための第２の引き裂き線２７を備える、すなわちこのものにおいて第３の被封止部３０は、パケット１の開放のために分離可能にあるいは開放可能なものとなっている。第３の被封止部３０は後部１８における吸収体４と前部１７における吸収体４との間の隙間を封止するために構成されている。
【００６７】
図１５には、伸長状態の、図１４に示すパケット１の第１の例を概略的に示す。図１５には、パケット１の長手方向延在側縁部１２ａに沿って、すなわちすなわちバックシート３の長手方向延在縁部１３に配置された第１の引き裂きタブ９と、パケットの横方向延在側縁部１２ｂに沿って、すなわち後部１８および前部１７の横方向延在縁部３２に配置された第２の引き裂きタブ２６とを示す。第１の引き裂き線８は、パケット１の長手方向延在側縁部１２ａに沿って、すなわち長手方向延在縁部１３に配置されており、第２の引き裂き線２７は、パケット１の横方向延在側縁部１２ｂに沿って、すなわち前部１７の横方向延在縁部３２および後部１８の横方向延在縁部３２のそれぞれに配置されている。第１および第２の引き裂きタブ２６がパケット１から取り除かれると、第１および第２の引き裂き線２７はバックシート３、ひいては吸収用品２を形成するよう構成され、それによって吸収用品２の長手方向延在縁部２３および横方向延在縁部２４が形成される。
【００６８】
図１６には、本発明の吸収用品２のためのパケットを概略的に示す。図１６には、第１の被封止部１４における第１の封止手段１０は、バックシート３からいかなる材料の除去も伴わないで分離または開放できる種類のものからなる。ここで第１の被封止部１４は、バックシート３の、第１の封止手段１０によってともに結合された部分によって規定され、当該部分は、第１の封止手段１０の結合部の範囲内、または第１の封止手段１０の一取り付け面とバックシート３の外面５の対応する部分との間の範囲内で破損されることによって開放される。上述したように、固定手段１５は、バックシート３上に配置されてもよく、かつ本発明に基づくパケット１内に隠されるようになってもよい。図１６には、吸収用品がパケットとなるよう折り曲げられたときに固定手段１５がパケット１の横方向延在側縁部１２ｂに沿って配置されるように、バックシート３上に配置される固定手段１５を示す。固定手段１５は、横方向に延在する開放可能な第２の被封止部１６における封止状態を形成してもよいが、第２の被封止部は、さらにまたは代わりに、第２の除去可能な第２の引き裂きタブを備えていてもよい。第２の被封止部が代わりとして第２の除去可能な第２の引き裂きタブを備えている場合、固定手段１５は、固定手段１５がパケット１に隠されるようになるのであれば、バックシート３のどこへ配置されてもよい。
【００６９】
図１７は本発明に基づくパケット１の概略正面図である。図１７には、中央部１９に配置された第１の引き裂きタブ９を示すが、当該パケット１においては他の引き裂きタブは設けられていない。図１７には、第１の引き裂きタブ９を形成するバックシート３の長手方向延在縁部１３同士の間の第１の被封止部１４に配置された第１の封止手段１０を示す。図１７には、第１の被封止部１４と吸収体４との間に、第１の被封止部１４から距離をおいて配置された第１の引き裂き線８を示す。ゆえに、第１の引き裂きタブ９の取り外し時に、吸収用品は適切に中央部１９において形状付けられるようになる。図１〜６および９〜１１を参照されたい。
【００７０】
図１８は本発明に基づくパケット１の概略正面図である。図１８には、中央部１９と前部と後部１８とに配置された第１の引き裂きタブ９を示す。この方法は図１〜１６のいずれか一つに示された、二重折りされるかまたは巻かれた吸収用品に使用できる。
【００７１】
図１９は本発明に基づくパケットの概略正面図である。図１９には、前部または後部のいずれかの方へ向かって、等分となるように中央部に配置された第１の引き裂きタブ９を示す。図１９は、第１の引き裂きタブ９が、パケット１の長手方向延在側縁部１２ａにわたって折り曲げ可能であり、かつバックシート３の外面に取り付け可能であることを示す。この方法は図１〜１３のいずれか一つに示された、二重折りされるかまたは巻かれた吸収用品に使用できる。図１３を参照すると、第１の引き裂きタブ９は、パケット１となるよう巻き取った後に第１の引き裂きタブ９が長手方向延在側部１１ａの巻かれた部分上に折り曲げられるように、第１の引き裂きタブ９の一部上に配置されてもよい。このため、前部１７が前部１７と同じ広がりとなるよう巻き取られた場合には、引き裂きタブ９は中央部１９の中央部分に配置されてもよい。
【００７２】
第１の引き裂きタブ９は、パケット１の長手方向側縁部１２ａ上に第１の引き裂きタブ９を伸張するためにかつ吸収用品２の長手方向延在縁部２４に沿って第１の引き裂き線８を裂くために、把持手段３１ｂを掴むことによって取り除くことができる。図１９において、各引き裂きタブ９は、第１の引き裂き線によってかつ把持手段３１ｂの近傍においてバックシート４の外面５に取り付けられた第１の引き裂きタブ９の部分によって、パケットに取り付けられている。ただし、第１の引き裂きタブ９は、吸収用品２の長手方向延在縁部２４に沿って二つの第１の引き裂き線８を裂くことによって除去されてもよい。ここで第２および第１の引き裂き線が、把持手段に近接した引き裂きタブ９の、上述したように取り付けられた部分と置き換えられてもよい。いずれの場合においても、把持手段は引き裂きタブ９の一部であっても、あるいは引き裂きタブ９に取り付けられていてもよい。
【００７３】
図２０は本発明に基づくパケットの概略正面図である。図２０には、中央部と前部と後部とに配置された第１の引き裂きタブ９を示す。この方法は図１２〜１４のいずれか一つに示された、二重折りされるか、巻かれるか、またはジグザグ折りされた吸収用品に使用できる。
【００７４】
図２１は本発明に基づくパケットの概略正面図である。図２１には、前部または後部に配置されかつパケット１の長手方向延在側縁部２１ａ上に折り曲げられた第１の引き裂きタブ９が示す。この方法は図１２〜１４のいずれか一つに示された、二重折りされるか、巻かれるか、またはジグザグ折りされた吸収用品に使用できる。
【００７５】
第１の引き裂きタブ９は、パケット１の長手方向側縁部１２ａ上に第１の引き裂きタブ９を折り曲げかつ吸収用品２の長手方向延在縁部２４に沿って第１の引き裂き線８を裂くために、把持手段３１ｂを掴むことによって取り除くことができる。図２１において、各引き裂きタブ９は、第１の引き裂き線によってかつ把持手段３１ｂの近傍においてバックシート４の外面５に取り付けられた第１の引き裂きタブ９の一部によって、パケットに取り付けられている。ただし第１の引き裂き９タブは吸収用品２の長手方向延在縁部２４に沿って二つの第１の引き裂き線８を裂くことによって取り除かれてもよい。ここで第２および第１の引き裂き線が、把持手段に近接した引き裂きタブ９の、上述したように取り付けられた部分と置き換えられてもよい。いずれの場合においても、把持手段は引き裂きタブ９の一部であっても、あるいは引き裂きタブ９に取り付けられていてもよい。
【００７６】
図２２は本発明の第五実施形態に基づく吸収用品の概略平面図である。図１〜２１に関連して説明したように、吸収用品２は、その伸長状態において、長手方向Ｘと、長手方向Ｘに直交する横方向Ｙと、長手方向Ｘと横方向Ｘとによって規定される平面に直交する厚さ方向Ｚとを有する。吸収用品２は、その長手方向Ｘにおいて、前部１７と、後部１８と、それらの間の中央部１９とを有する。
【００７７】
図２２において、長手方向延在縁部１３が、長手方向延在折り曲げ線３３にわたってかつ吸収体４にわたって折り曲げられている。続いて吸収用品２は、図２，１２，１３，１４，２３，２４および２５のいずれか一つに基づいて横方向延在折り曲げ線３４にわたって折り曲げられる。折り曲げ線３３，３４は脆弱部または折り目などとして吸収用品２において物理的に存在するものであってもよいが、本発明の説明の補助となる図面においてのみ現れるものであってもよい。
【００７８】
図２２において、固定手段１５は、長手方向延在縁部１３におけるバックシート３の外面５上に配置された第４の固定手段２５ｄを備えている。体４の固定手段１５ｄは、折り曲げられた長手方向延在縁部１３全体にわたって延在していても、あるいは折り曲げられた長手方向延在縁部１３の一部のみに存在していてもよい。ただし第４の固定手段１５ｄは、パケット１の長手方向延在側部１１ａを封止するために吸収用品２がパケット１となるよう折り曲げられたとき、長手方向に延在するべきである。したがって、第４の固定手段１５ｄは、パケット１の長手歩行延在側部１１ａの封止のために第１の被封止部１４に設けられている。ここで「第４の固定手段」は、図１〜２１に関連して説明した「第１の封止手段」と置き換えられてもよく、かつ第１の封止手段に関して説明した特性すべてを有していても、すなわちバックシートから分離可能または取り外し可能であってもよい。このようにして第４の固定手段１５ｄは開放可能な第１の被封止部１４を形成する。
【００７９】
吸収用品２がその伸長状態にあるときに、第４の固定手段１５ｄが下着に取り付けるために使用されるよう、第４の固定手段１５ｄにおける結合部を破損することによってパケット１を開放することができる。
【００８０】
第４の固定手段１５ｄが長手方向延在縁部１３全体にわたって広がっている場合において、第４の固定手段１５ｄは、吸収用品がパケット１となるよう折りたたまれた後に、第４の固定手段１５ｄ自体に取り付けられるようになる。したがって「第４の固定手段を破壊すること」は、第４の固定手段１５ｄが、第４の固定手段１５ｄにおける取り付け面３５同士の間の結合部を破損することによって、その本来の部分同士へと分離されるようになることを意味している。
【００８１】
第４の固定手段１５ｄが長手方向延在縁部１３上に部分的にのみ広がっている場合、第４の固定手段１５ｄの取り付け面３５は、吸収用品２がペット１となるよう折り曲げられた後、長手方向延在縁部１３におけるバックシート３の外面３に取り付けられるようになる。このように「第４の固定手段における結合部を破壊すること」は、第４の固定手段１５ｄが、吸収用品２がその非折り曲げ状態にあるときに、衣類への取り付けのために使用可能な取り付け面３５をそれぞれ有する二つの部分へと分離するようになることを意味している。
【００８２】
第４の固定手段１５ｄが長手方向延在縁部１３上に部分的にのみ広がっている場合、第４の固定手段１５ｄの取り付け面３５は、吸収用品２がパケット１となるよう折りたたまれた後に長手方向延在縁部におけるバックシートの外面に取り付けられるようになる。このように「第４の固定手段における結合部を破壊すること」は、第４の固定手段１５ｄにおける取り付け面３５とバックシートとの間の結合部を破壊することでパケット１が開放可能となり、それによって第４の固定手段１５ｄの取り付け面３５が吸収用品２がその非折り曲げ状態にあるときに衣類への取り付けのために使用可能となることを意味している。
【００８３】
この実施形態の利点の一つとして、結合部の破壊によるパケットの開放によって廃棄物がでないことが挙げられる。
【００８４】
図２２には、吸収用品がそれ自体の上に一度折り曲げられるように(つまり吸収用品が二重折りされるように)配置された一つの横方向延在折り曲げ線３４を示す。これはさらに図２４にも示す。ただし吸収用品２が図２，１２，１３および１４に関連して説明した実施形態のいずれか一つに基づいて折り曲げられた場合、固定手段１５は第４の固定手段に加えて第１および第２の固定手段１５ｂを備えていてもよい。
【００８５】
折り曲げられた長手方向延在縁部１３は、折り曲げ状態で吸収体の一部を備えていてもよく、あるいはバックシート材料のみを備えていてもよい。折り曲げられた長手方向延在縁部１３は、図１〜２１に関連して説明した第３の固定手段を備えるそうしたフラップ(図２４参照)を備えていてもよい。
【００８６】
図２３は第五実施形態の第１の例に基づく図２２におけるXXIII線に沿った概略断面図である。折り曲げられた長手方向延在縁部１３は、折り曲げ状態で吸収体の一部を備えていてもよく、かつ第４の固定手段は長手方向延在縁部１３上に配置されている。
【００８７】
図２４は第五実施形態の第２の例に基づく図２２におけるXXIII線に沿った概略断面図である。第２の例は第１の例と一致しているが、折り曲げられた長手方向延在縁部１３がフラップ２５を有しているという点において異なっている。第３の固定手段１５ｃがフラップを二重折りすることによって形成された折り目シワ(crease)内に隠されるように、フラップ２５は二重折りされる、つまりフラップ自体の上に折り曲げられる。第３の固定手段１５ｃをカバーする理由は、パケットが形成されたときに第３の固定手段が吸収体に接着されることを防ぐことである。これは、第３の固定手段１５ｃが折り曲げられた長手方向延在縁部１３におけるバックシート３の外面に接着不可能なように、これらフラップ２５がその折り曲げ状態にあるときに互いの方へ向かって横方向に延在する場合に可能となる。ただし、第３の固定手段１５ｃが折り曲げられた長手方向延在縁部１３におけるバックシート３の外面５に取り付けまたはそれに対して位置させることができる場合には、第３の固定手段１５ｃを二重折りする必要はない。
【００８８】
図２４には、第４の固定手段１５ｄが折り曲げられたフラップと接触可能となるように、横方向に延在しない第４の固定手段１５ｄを示す。それゆえ、このパケットは第４の固定手段における結合部を破壊することによって開放可能であり、かつフラップは第３の固定手段における結合部の破壊によって伸長状態となることができる。ここで「第３の固定手段の結合部を破壊すること」は、「第４の固定手段１５ｃの結合部を破壊すること」の規定に関連して説明したのと同じ実現性があることを意味している。フラップ２５は、フラップ２５を容易に伸張させるために把持手段３１ａを備えていてもよい。
【００８９】
図２５には、パケット１となるよう折り曲げられた、図２２〜２４のいずれか一つに基づく吸収用品を示す。図２２〜２４に関連して説明したものに加えて、パケット１は、パケット１の横方向延在側縁部１２ｂに沿って封止されている。どのように吸収用品がパケット１となるよう折り曲げられるかに応じて、すなわち図１〜２４のいずれか一つまたはそれらの組み合わせに関連して説明した可能性に応じて、その封止部は、第１および／または第２の固定手段１５ａ，１５ｂを備える横方向に延在する開放可能な第２の被封止部１６もしくは取り外し可能な第２の引き裂きタブ２６のいずれかを備えている。上述した封止部が取り外し可能な第２の引き裂きタブ２６を備えていることは、吸収用品が、例えば第４の固定手段１５ｄが第１の被封止部に設けられるように、中央に配置された折り曲げ線にわたって二重に折り曲げられた場合に実施可能となる。
【００９０】
図２６は本発明の第六実施形態に基づく吸収用品の概略断面図である。図２６に示されるこの実施形態は、パケットの形成のための折り曲げ可能性について図１〜２１に関連して説明した実施形態のいずれか一つと組み合わせることができる。
【００９１】
図２６において、吸収用品は、トップシート３６と、バックシート３と、それらの間に配置された吸収体４とを備える。図２６において、トップシート３６は、吸収用品２の側部のそれぞれにおいて一つの折りシワ３７を形成するために吸収体４とバックシートとの間で折り曲げられている。図２６において、各折りシワ３７は、長手方向延在縁部１３に沿った広がりを有している。折りシワ３７は固定手段１５ｄを備えており、かつ上記引き裂き線８はトップシート３６およびバックシート３の両方にわたって延在している。図２６において、第１の引き裂きタブ９はバックシート３とトップシート３６とを備えているが、他の実施形態において、トップシートがバックシートの一部の上に折り曲げられている場合においては、固定手段１５ｄはバックシートとトップシート３６との間に配置されていてもよい。いずれの場合においても、固定手段１５ｄは、第１の引き裂きタブ９を取り除くことによって現れるようになる。したがって図２６においては引き裂き線８は、使用者が第１の引き裂きタブ９を取り除いたときに固定手段１５ｄが下着に対して用いるために少なくとも部分的に現れるように、配置されている。
【００９２】
図２７は本発明の第七実施形態に基づく吸収用品の概略側面図である。図２７に示されるこの実施形態は、パケットの形成のための折り曲げ可能性について図１〜２１に関連して説明した実施形態のいずれか一つと組み合わせることができる。
【００９３】
図２７において、吸収用品は、トップシート３６と、バックシート３と、それらの間に配置された吸収体４とを備える。図２７において、バックシート３は、吸収用品２の側部のそれぞれにおいて一つの折りシワ３８を形成するために二度折り曲げられている。図２７において、各折りシワ３８は、長手方向延在縁部１３に沿った広がりを有している。折りシワ３８は固定手段１５ｅを備えており、かつ上記引き裂き線８はバックシート３にわたって延在している。図２７において、第１の引き裂きタブ９はバックシート３を備えており、固定手段１５ｄは、第１の引き裂きタブ９を取り除くことによって現れるようになる。したがって図２６において、引き裂き線８は、使用者が第１の引き裂きタブ９を取り除いたときに固定手段１５ｄが下着に対して用いるために少なくとも部分的に現れるように、配置されている。
【００９４】
図２８は本発明の第八実施形態に基づく吸収用品の概略側面図である。図２７に示されるこの実施形態は、パケットの形成のための折り曲げ可能性について図１〜２１に関連して説明した実施形態のいずれか一つと組み合わせることができる。図２８は、引き裂き線８の位置が変更されている点を除いて、図２７と同じである。図２８において、引き裂き線８は、固定手段１５ｅが現れるようにするためバックシート３が折り曲げられなければならないように配置されている。ゆえに引き裂き線８は、固定手段１５ｅと、折りシワ３８の形成のために折り曲げられたバックシート３の一部との間の接着力よりも強度のあるものとなっている。ただし、固定手段１５ｅと、バックシート３の、吸収体４と接する部分との間の粘着力は、固定手段１５ｅを衣類に対して用いられる位置に保持するため、固定手段１５ｅとバックシート３の折り曲げられた部分との間の粘着力よりも高いものとなっている。バックシート３と固定手段との間にさまざまな粘着力をもたらすために、バックシートの外面５は、固定手段１５ｅに対する接着特性を変化させるよう、さまざまな方法で処理されていてもよい。例えばバックシート３の折り曲げられた部分は、シリコンまたは接着力を低下させる他の適切な材料で処理されていてもよく、またバックシートの他の部分は接着力を高める方法で処理されていてもよい。
【００９５】
バックシートの折りシワ部分が伸張されると、第１の引き裂きタブ９が取り除かれ、固定手段１５ｅが現れた後に、長手方向延在縁部１３において横方向に延在するバックシートの部分がフラップとして機能してもよい。
【００９６】
本発明は図面に関連して説明した実施形態に限定されず、特許請求の範囲に記載された範囲内で変更可能である。例えばバックシートの外面は、部分的にまたは全体的に、選択された領域において、バックシートの特定の特性が当該外面に付与されるように処理されてもよい。例えば、その特定の特性は、バックシートと下着との間に高い摩擦力をもたらすことができるものである。バックシートの処理は、バックシートをコーティングすることによってまたはバックシートの外面にフィルムを取り付けることによって実施可能である。
【００９７】
さらに、固定手段は、異なる領域においてさまざまな結合特性を有する接着剤の形態のものであってもよく、かつ異なる粘着特性を有していてもよい。接着剤は直線的なまたは曲線状の一つ以上の連続ラインとなるよう配置されてもよく、かつ／または接着剤は、例えば円形、楕円形、多角形、矩形、四角形などの適切な幾何学的形状を有する複数のドットとすることもできる。
【００９８】
吸収用品が、下着の外面または内面に対する取り付けのためのフラップ／ウィングを備えていてもよい。フラップはバックシートの一部からなるか、あるいは吸収用品に取り付けられていてもよい。フラップは、使用者が所望の方向にフラップを引っ張ることによって所望の形状を形成できるようにする、さまざまな材料から構成されてもよい。したがって、フラップは、弾性を有していてもよく、かつ塑性変形可能なものであってもよく、かつフラップの成形の補助のために補強領域および／または補強手段を備えていてもよい。
【００９９】
バックシートは通気性を有する、すなわち湿った空気を周囲の空気中へと放出可能なものであってもよく、かつ異なる度合いの通気性を有するさまざまな領域を備えていてもよい。いわゆる湿潤スポット、つまり吸収用品の、最も多くの液体を受容する部分は、非通気性材料または通気性の低い材料から形成されていてもよいが、その一方で、その隣接材料／周囲材料／部分的に周囲にある材料は高い通気性を有していてもよい。非通気性材料の一例としてはプラスチック材料が、通気性材料の一例としては不織材料が挙げられる。本発明は、これら材料に限定されるものではなく、本質的には従来技術として知られた材衣料が使用できる。
【符号の説明】
【０１００】
１  パケット
２  吸収用品
３  バックシート
４  吸収体
５  バックシートの外面
６  バックシートの内面
７  包装
８  第１の引き裂き線
９  第１の引き裂きタブ
１０  第１の封止手段
１１ａ  長手方向延在側部
１１ｂ  横方向延在側部
１２ａ  長手方向延在側縁部
１２ｂ  横方向延在側縁部
１３  長手方向延在縁部
１４  第１の被封止部
１５，１５ａ，１５ｂ，１５ｃ，１５ｄ，１５ｅ  固定手段
１６  第２の被封止部
１７  前部
１８  後部
１９  中央部
２０  第１の折り曲げ線
２１  第２の折り曲げ線
２２  第３の折り曲げ線
２３  長手方向延在縁部
２４  横方向延在縁部
２５  フラップ
２６  第２の引き裂きタブ
２７  第２の引き裂き線
２８  矩形状部
２９  三角形状部
３０  第３の被封止部
３１ａ，３１ｂ  把持手段
３２  横方向延在縁部
３３，３４  折り曲げ線
３５  取り付け面
３６  トップシート
３７，３８  折りシワ
【図１】
2011518600.tif 000003
【図２】
2011518600.tif 000004
【図３】
2011518600.tif 000005
【図４】
2011518600.tif 000006
【図５】
2011518600.tif 000007
【図６】
2011518600.tif 000008
【図７】
2011518600.tif 000009
【図８】
2011518600.tif 000010
【図９】
2011518600.tif 000011
【図１０】
2011518600.tif 000012
【図１１】
2011518600.tif 000013
【図１２】
2011518600.tif 000014
【図１３】
2011518600.tif 000015
【図１４】
2011518600.tif 000016
【図１５】
2011518600.tif 000017
【図１６】
2011518600.tif 000018
【図１７】
2011518600.tif 000019
【図１８】
2011518600.tif 000020
【図１９】
2011518600.tif 000021
【図２０】
2011518600.tif 000022
【図２１】
2011518600.tif 000023
【図２２】
2011518600.tif 000024
【図２３】
2011518600.tif 000025
【図２４】
2011518600.tif 000026
【図２５】
2011518600.tif 000027
【図２６】
2011518600.tif 000028
【図２７】
2011518600.tif 000029
【図２８】
2011518600.tif 000030
【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
吸収用品(２)であって、
前記吸収用品(２)は、外面(５)と内面(６)とを有するバックシート(３)を具備してなり、かつ二つの長手方向延在縁部(１３)を具備してなり、
前記吸収用品(２)は、前記バックシート(３)の前記内面(６)に配置された吸収体(４)を具備してなり、
前記吸収用品(２)は、前記吸収用品(２)が非折り曲げ状態にあるときの下着における固定のために前記バックシート(３)の前記外面(５)に配置された固定手段(１５；１５ａ，１５ｂ，１５ｄ)を具備してなり、
折り曲げ状態にある前記吸収用品(２)はパケット(１)となるように折り曲げられており、このものにおいて、
前記バックシート(３)の前記外面(５)の少なくとも一部が前記パケット(１)の外面を形成するようになっており、かつ
前記固定手段(１５；１５ａ，１５ｂ，１５ｄ)が、
前記パケット(１)の内側に配置されるように、かつ、
前記長手方向延在縁部(１３)のそれぞれが、少なくとも一度は前記長手方向延在縁部(１３)自体の上に折り曲げられ、かつ前記パケット(１)の長手方向延在側部(１１ａ)の封止のために開放可能な第１の被封止部(１４)を形成するよう長手方向延在縁部(１３)自体に取り付けられるようになっており、
前記固定手段(１５；１５ａ，１５ｂ，１５ｄ)は、前記吸収用品(２)が折り曲げ状態にあるときに、前記バックシート(３)の前記外面(５)のみと接触するようになっており、
前記固定手段(１５；１５ａ，１５ｂ，１５ｄ)は、折り曲げ状態にある前記パケット(１)の横方向延在側部(１１ｂ)を封止し、それによって第２の被封止部(１６)が形成されるよう構成されていることを特徴とする吸収用品(２)。
【請求項２】
前記固定手段(１５；１５ａ，１５ｂ，１５ｄ)は、前記吸収用品(２)が非折り曲げ状態にあるときに、前記吸収用品(２)の前記外面(５)から離れた側に面する取り付け面(３５)を具備しており、前記取り付け面(３５)は、前記吸収用品(２)が非折り曲げ状態にある際の下着への取り付けのために設けられており、前記取り付け面(３５)は、前記吸収用品(２)が折り曲げ状態にある際には前記バックシート(３)の前記外面(５)のみと接触していることを特徴とする請求項１に記載の吸収用品(２)。
【請求項３】
前記固定手段(１５；１５ａ，１５ｂ，１５ｄ)は少なくとも第１の固定手段(１５ａ)と第２の固定手段(１５ｂ)とを具備してなり、前記第１の固定手段(１５ａ)は前記第２の固定手段(１５ｂ)に取り付けられており、あるいは前記第１の固定手段(１５ａ)の前記取り付け面(３５)が前記バックシート(３５)の前記外面(５)に取り付けられており、かつ前記第２の固定手段(１５ｂ)は、前記バックシート(３)の前記外面(５)に取り付けられていることを特徴とする請求項１または請求項２のいずれか一項に記載の吸収用品(２)。
【請求項４】
前記第２の被封止部(１６)は前記パケット(１)の開放のために分離可能となっていることを特徴とする請求項１に記載の吸収用品(２)。
【請求項５】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部に面するように、かつ、
前記後部(１８)における前記吸収体(４)が前記中央部(１９)における前記吸収体(４)の一部に面するように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項３のいずれか一項に記載の吸収用品(２)。
【請求項６】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)が、前記吸収体(４)が前記吸収体(４)自体に対面するように、二重折りされているように、かつ、
前記後部(１８)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項４のいずれか一項に記載の吸収用品(２)。
【請求項７】
非折り曲げ状態にある前記吸収用品は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向において、前部(１７)と、後部(１８)と、それらの間の中央部(１９)とを具備してなり、
前記吸収用品(２)は、
前記後部(１８)が、前記吸収体(４)が前記吸収体(４)自体に対面するように、二重折りされているように、かつ、
前記前部(１７)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項８】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、前記前部(１７)における前記バックシート(３)の前記外面(５)の少なくとも一部が前記固定手段(１５；１５ａ，１５ｂ，１５ｄ)を介して前記後部(１８)における前記バックシート(３)の前記外面(５)の少なくとも一部と相互連結されるように、前記前部(１７)から前記中央部(１９)の方へ向かう方向および前記後部(１８)から前記中央部(１９)の方へ向かう方向に巻かれていることを特徴とする請求項１ないし請求項６のいずれか一項に記載の吸収用品(２)。
【請求項９】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部と対面するように、かつ
前記後部(１８)における前記吸収体(４)が前記中央部(１９)における前記吸収体(４)の一部と対面するように、かつ
前記中央部(１９)における前記バックシート(３)の前記外面(５)の少なくとも一部が、前記固定手段(１５；１５ａ，１５ｂ，１５ｄ)を介して、前記中央部(１９)の他の部分における前記バックシート(３)の前記外面(５)の少なくとも一部と相互連結されるように、
折り曲げられていることを特徴とする請求項１ないし請求項３のいずれか一項に記載の吸収用品(２)。
【請求項１０】
前記バックシート(３)は、前記パケット(１)の横方向延在側部(１１ｂ)を封止するための第３の被封止部(３０)を形成するよう互いに対して折り曲げられる二つの横方向延在縁部(３２)を具備してなり、前記パケット(１)の開放のために、前記第３の被封止部(３０)は、前記吸収用品(２)が折り曲げ状態にあるときに第２の引き裂きタブ(２６)を前記バックシート(３)から、ひいては前記パケット(１)から分離するための第２の引き裂き線(２７)を具備してなるか、あるいは前記第３の被封止部(３０)は分離可能となっていることを特徴とする請求項９に記載の吸収用品(２)。
【請求項１１】
前記パケット(１)の開放のために、前記第１の被封止部(１４)は、前記吸収用品(２)が折り曲げ状態にあるときに第１の引き裂きタブ(９)を前記バックシート(３)から、ひいては前記パケット(１)から分離するために第１の引き裂き線(８)を具備してなるか、あるいは前記第１の被封止部(１４)は分離可能となっていることを特徴とする請求項１ないし請求項１０のいずれか一項に記載の吸収用品(２)。
【請求項１２】
前記長手方向延在縁部(１３)は、前記第１の被封止部(１４)の形成のために長手方向延在折り曲げ線(３３)上に折り曲げられていることを特徴とする請求項１ないし請求項１０のいずれか一項に記載の吸収用品(２)。
【請求項１３】
前記固定手段(１５；１５ａ，１５ｂ，１５ｄ)は、折り曲げられた前記長手方向延在縁部(１３)における前記バックシート(３)の前記外面(５)上に配置された第４の固定手段(１５ｄ)を具備してなることを特徴とする請求項１２に記載の吸収用品(２)。
【請求項１４】
吸収用品(２)であって、
前記吸収用品(２)は、外面(５)と内面(６)とを有するバックシート(３)を具備してなり、かつ二つの長手方向延在縁部(１３)を具備してなり、
前記吸収用品(２)は、前記バックシート(３)の前記内面(６)に配置された吸収体(４)を具備してなり、
前記吸収用品(２)は、前記吸収用品(２)が非折り曲げ状態にあるときの下着における固定のために前記バックシート(３)の前記外面(５)に配置された固定手段(１５；１５ａ，１５ｂ，１５ｄ)を具備してなり、
前記バックシート(３)は、前記吸収用品(２)が非折り曲げ状態にあるときに、前記長手方向延在縁部(１３)のそれぞれに沿って延在しかつ前記吸収体(４)から離れる方向において横方向(Ｙ)に延在する固定フラップ(２５)を具備してなり、
折り曲げ状態にある前記吸収用品(２)はパケット(１)となるように折り曲げられており、このものにおいて、
前記バックシート(３)の前記外面(５)の少なくとも一部が前記パケット(１)の外面を形成するようになっており、かつ
前記固定手段(１５；１５ａ，１５ｂ，１５ｄ)が、
前記パケット(１)の内側に配置されるように、かつ、
前記長手方向延在縁部(１３)のそれぞれが、少なくとも一度は前記長手方向延在縁部(１３)自体の上に折り曲げられ、かつ前記パケット(１)の長手方向延在側部(１１ａ)の封止のために除去可能な第１の被封止部(１４)を形成するよう長手方向延在縁部(１３)自体に取り付けられるようになっており、
前記フラップ(２５)は、前記第１の被封止部(１４)に備えられており、かつ、
前記吸収用品(２)が折り曲げ状態にある場合の前記バックシート(３)からの、ひいては前記パケット(１)からの前記第１の引き裂きタブ(９)の分離が、前記フラップ(２５)の形状を形成するよう構成されていることを特徴とする吸収用品(２)。
【請求項１５】
前記固定手段(１５；１５ａ，１５ｂ，１５ｄ)は、前記吸収用品(２)が折り曲げ状態にあるときに、前記バックシート(３)の前記外面(５)のみと接触するようになっていることを特徴とする請求項１４に記載の吸収用品(２)。
【請求項１６】
前記固定手段(１５；１５ａ，１５ｂ，１５ｄ)は、前記吸収用品(２)が非折り曲げ状態にあるときに、前記吸収用品(２)の前記外面(５)から離れた側に面する取り付け面(３５)を具備しており、前記取り付け面(３５)は、前記吸収用品(２)が非折り曲げ状態にある際の下着への取り付けのために設けられており、前記取り付け面(３５)は、前記吸収用品(２)が折り曲げ状態にある際には前記バックシート(３)の前記外面(５)のみと接触していることを特徴とする請求項１４または請求項１５に記載の吸収用品(２)。
【請求項１７】
前記固定手段(１５；１５ａ，１５ｂ，１５ｄ)は少なくとも第１の固定手段(１５ａ)と第２の固定手段(１５ｂ)とを具備してなり、前記第１の固定手段(１５ａ)は前記第２の固定手段(１５ｂ)に取り付けられており、あるいは前記第１の固定手段(１５ａ)の前記取り付け面(３５)は前記バックシート(３５)の前記外面(５)に取り付けられており、かつ前記第２の固定手段(１５ｂ)は、前記バックシート(３)の前記外面(５)に取り付けられていることを特徴とする請求項１４ないし請求項１６のいずれか一項に記載の吸収用品(２)。
【請求項１８】
前記固定手段(１５；１５ａ，１５ｂ，１５ｄ)は、折り曲げ状態にある前記パケット(１)の横方向延在側部(１１ｂ)を封止し、それによって第２の被封止部(１６)が形成されるよう構成されていることを特徴とする請求項１４ないし請求項１７のいずれか一項に記載の吸収用品(２)。
【請求項１９】
前記第２の被封止部(１６)は前記パケット(１)の開放のために分離可能となっていることを特徴とする請求項１８に記載の吸収用品(２)。
【請求項２０】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部に面するように、かつ、
前記後部(１８)における前記吸収体(４)が前記中央部(１９)における前記吸収体(４)の一部に面するように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１４ないし請求項１９のいずれか一項に記載の吸収用品(２)。
【請求項２１】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)が、前記吸収体(４)が前記吸収体(４)自体に対面するように、二重折りされているように、かつ、
前記後部(１８)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１４ないし請求項１９のいずれか一項に記載の吸収用品(２)。
【請求項２２】
非折り曲げ状態にある前記吸収用品は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向において、前部(１７)と、後部(１８)と、それらの間の中央部(１９)とを具備してなり、
前記吸収用品(２)は、
前記後部(１８)が、前記吸収体(４)が前記吸収体(４)自体に対面するように、二重折りされているように、かつ、
前記前部(１７)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１４ないし請求項１９のいずれか一項に記載の吸収用品(２)。
【請求項２３】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、前記前部(１７)における前記バックシート(３)の前記外面(５)の少なくとも一部が前記固定手段(１５；１５ａ，１５ｂ，１５ｄ)を介して前記後部(１８)における前記バックシート(３)の前記外面(５)の少なくとも一部と相互連結されるように、前記前部(１７)から前記中央部(１９)の方へ向かう方向および前記後部(１８)から前記中央部(１９)の方へ向かう方向に巻かれていることを特徴とする請求項１４ないし請求項１９のいずれか一項に記載の吸収用品(２)。
【請求項２４】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部と対面するように、かつ
前記後部(１８)における前記吸収体(４)が前記中央部(１９)における前記吸収体(４)の一部と対面するように、かつ
前記中央部(１９)における前記バックシート(３)の前記外面(５)の少なくとも一部が、前記固定手段(１５；１５ａ，１５ｂ，１５ｄ)を介して、前記中央部(１９)の他の部分における前記バックシート(３)の前記外面(５)の少なくとも一部と相互連結されるように、
折り曲げられていることを特徴とする請求項１４ないし請求項１７のいずれか一項に記載の吸収用品(２)。
【請求項２５】
前記バックシート(３)は、前記パケット(１)の横方向延在側部(１１ｂ)を封止するための第３の被封止部(３０)を形成するよう互いに対して折り曲げられる二つの横方向延在縁部(３２)を具備してなり、前記パケット(１)の開放のために、前記第３の被封止部(３０)は、前記吸収用品(２)が折り曲げ状態にあるときに第２の引き裂きタブ(２６)を前記バックシート(３)から、ひいては前記パケット(１)から分離するための第２の引き裂き線(２７)を具備してなるか、あるいは前記第３の被封止部(３０)は分離可能となっていることを特徴とする請求項２４に記載の吸収用品(２)。
【請求項２６】
前記パケット(１)の開放のために、前記第１の被封止部(１４)は、前記吸収用品(２)が折り曲げ状態にあるときに第１の引き裂きタブ(９)を前記バックシート(３)から、ひいては前記パケット(１)から分離するために第１の引き裂き線(８)を具備してなるか、あるいは前記第１の被封止部(１４)は分離可能となっていることを特徴とする請求項１４ないし請求項２５のいずれか一項に記載の吸収用品(２)。
【請求項２７】
前記長手方向延在縁部(１３)は、前記第１の被封止部(１４)の形成のために長手方向延在折り曲げ線(３３)にわたって折り曲げられていることを特徴とする請求項１４ないし請求項２５のいずれか一項に記載の吸収用品(２)。
【請求項２８】
前記固定手段(１５；１５ａ，１５ｂ，１５ｄ)は、折り曲げられた前記長手方向延在縁部(１３)における前記バックシート(３)の前記外面(５)上に配置された第４の固定手段(１５ｄ)を具備してなることを特徴とする請求項２７に記載の吸収用品(２)。
【請求項２９】
前記フラップ(２５)は、前記バックシート(３)に取り付けられているか、あるいは前記バックシート材料(３)の一部であることを特徴とする請求項１４に記載の吸収用品(２)。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
吸収用品(２)であって、
前記吸収用品(２)は、外面(５)と内面(６)とを有するバックシート(３)を具備してなり、かつ二つの長手方向延在縁部(１３)を具備してなり、
前記吸収用品(２)は、前記バックシート(３)の前記内面(６)に配置された吸収体(４)を具備してなり、
前記吸収用品(２)は、前記吸収用品(２)が非折り曲げ状態にあるときの下着における固定のために前記バックシート(３)の前記外面(５)に配置された固定手段(１５；１５ａ，１５ｂ，１５ｄ)を具備してなり、
前記バックシート(３)は、前記吸収用品(２)が非折り曲げ状態にあるときに、前記長手方向延在縁部(１３)のそれぞれに沿って延在しかつ前記吸収体(４)から離れる方向において横方向(Ｙ)に延在する固定フラップ(２５)を具備してなり、
折り曲げ状態にある前記吸収用品(２)はパケット(１)となるように折り曲げられており、このものにおいて、
前記バックシート(３)の前記外面(５)の少なくとも一部が前記パケット(１)の外面を形成するようになっており、かつ
前記固定手段(１５；１５ａ，１５ｂ，１５ｄ)が、
前記パケット(１)の内側に配置されるように、かつ、
前記長手方向延在縁部(１３)のそれぞれが、少なくとも一度は前記長手方向延在縁部(１３)自体の上に折り曲げられ、かつ前記パケット(１)の長手方向延在側部(１１ａ)の封止のために除去可能な第１の被封止部(１４)を形成するよう長手方向延在縁部(１３)自体に取り付けられるようになっており、
前記フラップ(２５)は、前記第１の被封止部(１４)に備えられており、かつ、
前記吸収用品(２)が折り曲げ状態にある場合の前記バックシート(３)からの、ひいては前記パケット(１)からの前記第１の引き裂きタブ(９)の分離が、前記フラップ(２５)の形状を形成するよう構成されていることを特徴とする吸収用品(２)。
【請求項２】
前記固定手段(１５；１５ａ，１５ｂ，１５ｄ)は、前記吸収用品(２)が折り曲げ状態にあるときに、前記バックシート(３)の前記外面(５)のみと接触するようになっていることを特徴とする請求項１に記載の吸収用品(２)。
【請求項３】
前記固定手段(１５；１５ａ，１５ｂ，１５ｄ)は、前記吸収用品(２)が非折り曲げ状態にあるときに、前記吸収用品(２)の前記外面(５)から離れた側に面する取り付け面(３５)を具備しており、前記取り付け面(３５)は、前記吸収用品(２)が非折り曲げ状態にある際の下着への取り付けのために設けられており、前記取り付け面(３５)は、前記吸収用品(２)が折り曲げ状態にある際には前記バックシート(３)の前記外面(５)のみと接触していることを特徴とする請求項１または請求項２に記載の吸収用品(２)。
【請求項４】
前記固定手段(１５；１５ａ，１５ｂ，１５ｄ)は少なくとも第１の固定手段(１５ａ)と第２の固定手段(１５ｂ)とを具備してなり、前記第１の固定手段(１５ａ)は前記第２の固定手段(１５ｂ)に取り付けられており、あるいは前記第１の固定手段(１５ａ)の前記取り付け面(３５)は前記バックシート(３５)の前記外面(５)に取り付けられており、かつ前記第２の固定手段(１５ｂ)は、前記バックシート(３)の前記外面(５)に取り付けられていることを特徴とする請求項１ないし請求項３のいずれか一項に記載の吸収用品(２)。
【請求項５】
前記固定手段(１５；１５ａ，１５ｂ，１５ｄ)は、折り曲げ状態にある前記パケット(１)の横方向延在側部(１１ｂ)を封止し、それによって第２の被封止部(１６)が形成されるよう構成されていることを特徴とする請求項１ないし請求項４のいずれか一項に記載の吸収用品(２)。
【請求項６】
前記第２の被封止部(１６)は前記パケット(１)の開放のために分離可能となっていることを特徴とする請求項５に記載の吸収用品(２)。
【請求項７】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部に面するように、かつ、
前記後部(１８)における前記吸収体(４)が前記中央部(１９)における前記吸収体(４)の一部に面するように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項８】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向(Ｚ)とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)が、前記吸収体(４)が前記吸収体(４)自体に対面するように、二重折りされているように、かつ、
前記後部(１８)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項９】
非折り曲げ状態にある前記吸収用品は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向において、前部(１７)と、後部(１８)と、それらの間の中央部(１９)とを具備してなり、
前記吸収用品(２)は、
前記後部(１８)が、前記吸収体(４)が前記吸収体(４)自体に対面するように、二重折りされているように、かつ、
前記前部(１７)が前記中央部(１９)へ向かう方向に巻かれているように、かつ、
前記前部(１７)における前記バックシート(３)の前記外面(５)の少なくとも一部が、前記固定手段(１５；１５ａ，１５ｂ，１５ｄ)を介して、前記後部(１８)における前記バックシート(３)の前記外面(５)の少なくとも一部と相互連結されるように、
折り曲げられていることを特徴とする請求項１ないし請求項６のいずれか一項に記載の吸収用品(２)。
【請求項１０】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、前記前部(１７)における前記バックシート(３)の前記外面(５)の少なくとも一部が前記固定手段(１５；１５ａ，１５ｂ，１５ｄ)を介して前記後部(１８)における前記バックシート(３)の前記外面(５)の少なくとも一部と相互連結されるように、前記前部(１７)から前記中央部(１９)の方へ向かう方向および前記後部(１８)から前記中央部(１９)の方へ向かう方向に巻かれていることを特徴とする請求項１ないし請求項６のいずれか一項に記載の吸収用品(２)。
【請求項１１】
非折り曲げ状態にある前記吸収用品(２)は、長手方向(Ｘ)と、前記長手方向(Ｘ)に直交する横方向(Ｙ)と、前記長手方向(Ｘ)と前記横方向(Ｙ)とによって規定される平面に直交する厚さ方向とを有しており、前記吸収用品(２)は、前記長手方向(Ｘ)において、前部(１７)と、後部(１８)と、それらの間の中央部(１９)とを具備してなり、
前記吸収用品(２)は、
前記前部(１７)における前記吸収体(４)が前記中央部(１９)における前記吸収体(４)の一部と対面するように、かつ
前記後部(１８)における前記吸収体(４)が前記中央部(１９)における前記吸収体(４)の一部と対面するように、かつ
前記中央部(１９)における前記バックシート(３)の前記外面(５)の少なくとも一部が、前記固定手段(１５；１５ａ，１５ｂ，１５ｄ)を介して、前記中央部(１９)の他の部分における前記バックシート(３)の前記外面(５)の少なくとも一部と相互連結されるように、
折り曲げられていることを特徴とする請求項１ないし請求項４のいずれか一項に記載の吸収用品(２)。
【請求項１２】
前記バックシート(３)は、前記パケット(１)の横方向延在側部(１１ｂ)を封止するための第３の被封止部(３０)を形成するよう互いに対して折り曲げられる二つの横方向延在縁部(３２)を具備してなり、前記パケット(１)の開放のために、前記第３の被封止部(３０)は、前記吸収用品(２)が折り曲げ状態にあるときに第２の引き裂きタブ(２６)を前記バックシート(３)から、ひいては前記パケット(１)から分離するための第２の引き裂き線(２７)を具備してなるか、あるいは前記第３の被封止部(３０)は分離可能となっていることを特徴とする請求項１１に記載の吸収用品(２)。
【請求項１３】
前記パケット(１)の開放のために、前記第１の被封止部(１４)は、前記吸収用品(２)が折り曲げ状態にあるときに第１の引き裂きタブ(９)を前記バックシート(３)から、ひいては前記パケット(１)から分離するために第１の引き裂き線(８)を具備してなるか、あるいは前記第１の被封止部(１４)は分離可能となっていることを特徴とする請求項１ないし請求項１２のいずれか一項に記載の吸収用品(２)。
【請求項１４】
前記長手方向延在縁部(１３)は、前記第１の被封止部(１４)の形成のために長手方向延在折り曲げ線(３３)にわたって折り曲げられていることを特徴とする請求項１ないし請求項１２のいずれか一項に記載の吸収用品(２)。
【請求項１５】
前記固定手段(１５；１５ａ，１５ｂ，１５ｄ)は、折り曲げられた前記長手方向延在縁部(１３)における前記バックシート(３)の前記外面(５)上に配置された第４の固定手段(１５ｄ)を具備してなることを特徴とする請求項１４に記載の吸収用品(２)。
【請求項１６】
前記フラップ(２５)は、前記バックシート(３)に取り付けられているか、あるいは前記バックシート材料(３)の一部であることを特徴とする請求項１に記載の吸収用品(２)。
【国際調査報告】
2011518600.tif 000031
2011518600.tif 000032
2011518600.tif 000033
2011518600.tif 000034
2011518600.tif 000035